(57)【要約】【課題】  液体試料の分光分析を行うに際してユーザの負担を軽減する。【解決手段】  分析セルは、分析ユニットに対して着脱交換可能な液体試料を収容するための分析セルであって、光を透過させる材料から成る第１の壁面対と、収容された前記液体試料に対して超音波を伝搬させるための第２の壁面対と、を備え、前記第２の壁面対を成す対向した第１の壁面と第２の壁面とは、音響インピーダンスが異なる材料から形成されていることを特徴とする。【選択図】  図２
2019211235.tif 000002
【特許請求の範囲】
【請求項１】
分析ユニットに対して着脱交換可能な液体試料を収容するための分析セルであって、
光を透過させる材料から成る第１の壁面対と、
収容された前記液体試料に対して超音波を伝搬させるための第２の壁面対と、
を備え、
前記第２の壁面対を成す対向した第１の壁面と第２の壁面とは、音響インピーダンスが異なる材料から形成されている
ことを特徴とする分析セル。
【請求項２】
請求項１に記載の分析セルであって、
前記第２の壁面よりも音響インピーダンスが小さい前記第１の壁面の外側には、ゲル状物質が設けられている
ことを特徴とする分析セル。
【請求項３】
請求項１に記載の分析セルであって、
前記第１の壁面の厚さは、前記超音波の波長の１／２の整数倍である
ことを特徴とする分析セル。
【請求項４】
請求項１に記載の分析セルであって、
前記第１の壁面対は、前記光を透過させる前記材料として石英ガラスまたはアクリルから成る
ことを特徴とする分析セル。
【請求項５】
請求項１に記載の分析セルであって、
前記第２の壁面対を成す前記音響インピーダンスが大きい方の前記第１の壁面は、石英ガラスまたはアクリルから成り、
前記第２の壁面対を成す前記音響インピーダンスが小さい方の前記第２の壁面は、金属から成る
ことを特徴とする分析セル。
【請求項６】
請求項１に記載の分析セルであって、
一方の壁面には前記液体試料を前記分析セルに供給するための供給ポートが設けられ、他方の壁面には前記液体試料を前記分析セルから排出するための排出ポートが設けられた第３の壁面対を、
備えることを特徴とする分析セル。
【請求項７】
請求項６に記載の分析セルであって、
前記排出ポートから排出された前記液体試料は、循環されて前記供給ポートから前記分析セルに供給される
ことを特徴とする分析セル。
【請求項８】
液体試料を収容するための分析セルと、
前記分析セルを着脱交換可能に保持するホルダと、
を備え、
前記分析セルは、
光を透過させる材料から成る第１の壁面対と、
収容された前記液体試料に対して超音波を伝搬させるための第２の壁面対と、
を備え、
前記第２の壁面対を成す対向した第１の壁面と第２の壁面とは、音響インピーダンスが異なる材料から形成され、
前記ホルダは、
前記液体試料に伝搬させる前記超音波を発振する超音波振動子を、
備える
ことを特徴とする分析ユニット。
【請求項９】
請求項８に記載の分析ユニットであって、
前記第２の壁面よりも音響インピーダンスが小さい前記第１の壁面の外側には、ゲル状物質が設けられており、
前記超音波振動子は、前記ゲル状物質を介して前記第１の壁面に密着し、前記ゲル状物質、及び前記第１の壁面を介して前記液体試料に前記超音波を伝搬させる
ことを特徴とする分析ユニット。
【請求項１０】
請求項８に記載の分析ユニットであって、
前記ホルダは、
前記第２の壁面と密着して前記分析セルを保持する密着用端子を、
備える
ことを特徴とする分析ユニット。
【請求項１１】
請求項８に記載の分析ユニットであって、
前記ホルダは、前記第１の壁面対と隙間を空けて前記分析セルを保持する
ことを特徴とする分析ユニット。
【発明の詳細な説明】
【技術分野】
【０００１】
本発明は、分析セル、及び分析ユニットに関する。
【背景技術】
【０００２】
従来、液体試料を分析する方法として光学分析が知られている。光学分析には、液体試料に光を照射して液体試料を透過した光または液体試料において散乱した光を分析する方法や、液体試料から放射される蛍光を分析する方法が含まれ、これらによって液体試料に含有された成分を検出することができる。特に、液体試料を透過した光を分析する分光分析では、比較的簡便な構成の装置によって液体試料を分析できるため、幅広い分野で活用されている。
【０００３】
例えば、特許文献１には、分光分析を行うに際し、液体試料の中に超音波の定在波を発生させることによって液体試料に含まれている粒子を凝集させることが開示されている。
【先行技術文献】
【特許文献】
【０００４】
【特許文献１】米国特許出願公開第２０１２／００８６９３８号明細書
【発明の概要】
【発明が解決しようとする課題】
【０００５】
ところで、液体試料の分光分析を行う場合、通常、該液体試料を所定の容器に入れた状態で光を照射することになる。よって、例えば、大量の液体試料を分光分析したり、異なる液体試料を連続して分光分析したりする場合、該容器に対して液体試料を何度も入れ替え、その都度に該容器を洗浄する必要があり、この手間がユーザにとって大きな負担となっている。
【０００６】
本発明は、このような状況に鑑みてなされたものであり、液体試料の分光分析を行うに際してユーザの負担を軽減できるようにすることを目的とする。
【課題を解決するための手段】
【０００７】
本願は、上記課題の少なくとも一部を解決する手段を複数含んでいるが、その例を挙げるならば、以下のとおりである。上記課題を解決すべく、本発明の一態様に係る分析セルは、分析ユニットに対して着脱交換可能な液体試料を収容するための分析セルであって、光を透過させる材料から成る第１の壁面対と、収容された前記液体試料に対して超音波を伝搬させるための第２の壁面対と、を備え、前記第２の壁面対を成す対向した第１の壁面と第２の壁面とは、音響インピーダンスが異なる材料から形成されていることを特徴とする。
【発明の効果】
【０００８】
本発明によれば、液体試料の分光分析を行うに際してユーザの負担を軽減することができる。
【０００９】
上記した以外の課題、構成及び効果は、以下の実施形態の説明により明らかにされる。
【図面の簡単な説明】
【００１０】
【図１】本発明の一実施の形態に係る光学分析装置の構成例を示す図である。
【図２】分析ユニットの構成例を示す上面図である。
【図３】分析セルの構成例を示すＹＺ平面の側面図である。
【図４】分析セルの構成例を示すＸＺ平面の側面図である。
【図５】ホルダの構成例を示すＸＺ平面の断面図である。
【図６】ホルダの構成例を示すＸＺ平面の側面図である。
【図７】液体試料を分析する際の問題点を説明するための図である。
【図８】超音波によって粒子を凝集させる原理を説明するための図である。
【図９】分光分析処理の一例を説明するフローチャートである。
【図１０】伝搬シミュレーションに用いた解析モデルを示す図である。
【図１１】解析モデルに採用した物質のスペックを示す図である。
【図１２】伝搬シミュレーションの結果の一例を示す図である。
【図１３】光学分析システムの第１の構成例を示す図である。
【図１４】光学分析システムの第２の構成例を示す図である。
【図１５】光学分析装置の変形例を示す図である。
【図１６】光学分析装置の変形例における分析ユニットの構成例を示す上面図である。
【図１７】光学分析装置の変形例における分析セルの構成例を示すＸＺ平面の断面図である。
【発明を実施するための形態】
【００１１】
以下に説明する実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。また、各実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１２】
さらに、実施の形態において、その構成要素（要素ステップ等も含む）は、特に明示した場合および原理的に明らかに必須であると考えられる場合等を除き、必ずしも必須のものではないことは言うまでもない。同様に、各実施の形態において、構成要素等の形状、位置関係等に言及するときは特に明示した場合および原理的に明らかにそうではないと考えられる場合等を除き、実質的にその形状等に近似または類似するもの等を含むものとする。このことは、上記数値および範囲についても同様である。また、各実施の形態を説明するための全図において、同一の部材には原則として同一の符号を付し、その繰り返しの説明は省略する。
【００１３】
以下、本発明の一実施の形態について図面を用いて説明する。一実施の形態の構成の説明では、理解のため、互いに直交する３軸（Ｘ，Ｙ，Ｚ）を用いる。もちろん、各実施形態の構成は、厳密にＸＹＺ軸に一致していなくても、実質的に同じ作用効果を達成できる範囲内の変更は許容される。
【００１４】
＜本発明を適用した光学分析装置の構成例＞
図１は、本発明の一実施の形態に係る分析ユニットを用いる光学分析装置の構成例を示している。該光学分析装置１０は、懸濁した液体に含まれる成分を分光分析によって定量評価するためのものである。
【００１５】
以下、分光分析の対象とする懸濁した液体を液体試料と称する。また、液体試料を懸濁させている物質を懸濁物質と称する。液体試料としては、例えば、血液、化学製品、工場排水、油滴を含む乳濁液等を挙げることができる。
【００１６】
光学分析装置１０は、分析ユニット１１、光源部１２、受光部１３、制御部１４、及び配管２１，２２を備える。
【００１７】
図２は、本発明の一実施の形態に係る分析ユニット１１の上面図を示している。
【００１８】
分析ユニット１１は、分析セル１１１とホルダ１１２から成る。分析セル１１１には、配管２１を介して液体試料が収容される。また、分析後の液体試料は、分析セル１１１から配管２２を介して排出される。
【００１９】
分析セル１１１は、ホルダ１１２に対して着脱交換可能であってディスポーザブル(disposable)（使い捨て）とされている。これにより、分析セル１１１を洗浄する手間が不要となるので、ユーザの負荷を軽減することができる。なお、分析セル１１１を使い捨てとせずに再利用するようにしてもよい。
【００２０】
分析セル１１１は、ホルダ１１２に対して着脱交換可能とする位置については、配管２１，２２も含めて着脱交換可能としてもよいし、後述する供給ポート１１４１、及び排出ポート１１４２を含めて着脱交換可能としてもよい。
【００２１】
ホルダ１１２は、図２に示されるように、分析セル１１１がＺ軸方向に挿入可能に筒状に形成されており、挿入された分析セル１１１をＹ方向に隙間を空けて保持できるように形成されている。これにより、分析セル１１１の壁面対１１１２（図３）が、ホルダ１１２の内壁で擦れて傷がついてしまい、その透明度が低下してしまうことを抑止できる。
【００２２】
光源部１２は、制御部１４からの制御に従い、ホルダ１１２に形成された照射穴１１２５（図６）から、分析セル１１１に収容された液体試料に対して所定波長の光を照射する。光源部１２は、例えば、ＬＥＤ(Light Emitting Diode)等の発光素子によって実現できる。
【００２３】
受光部１３は、光源部１２から照射されて液体試料を透過した光を、ホルダ１１２に形成された照射穴１１２５（図６）を介して受光し、その強度を示す受光信号を制御部１４に出力する。受光部１３は、例えば、ＰＤ(Photo Diode)等の受光素子から実現できる。
【００２４】
制御部１４は、光源部１２による光の照射を制御する。また、制御部１４は、受光部１３から供給される受光信号に基づいて液体試料に含まれる成分を分析する。さらに、制御部１４は、超音波振動子１１２２（図５）を駆動するための駆動部１４１（図５）を内蔵しており、超音波振動子１１２２による超音波の発振を制御する。制御部１４は、例えば、ＣＰＵ（Central Processing Unit）、ＲＡＭ（Random Access Memory）等を含むマイクロコンピュータや、専用ハードウェア回路により実現することができる。
【００２５】
次に、図３は、分析セル１１１の構成例を示すＹＺ平面の側面図である。図４は、分析セル１１１の構成例を示すＸＺ平面の側面図である。
【００２６】
分析セル１１１は、対向する２枚の壁面から成る３組の壁面対、すなわち、ＸＹ平面に平行な２枚の対向する壁面から成る壁面対１１１１、ＸＺ平面に平行な２枚の対向する壁面から成る壁面対１１１２、及びＹＺ平面に平行な２枚の対向する壁面から成る壁面対１１１３によって構成された直方体である。
【００２７】
壁面対１１１１は、本発明の第３の壁面対に相当する。壁面対１１１２は、本発明の第１の壁面対に相当する。壁面対１１１３は、本発明の第２の壁面対に相当する。
【００２８】
壁面対１１１１を成す上側の壁面１１１１１には、分析セル１１１に対して液体試料１１１０を供給するための配管２１に繋がれた供給ポート１１４１が設けられている。また、壁面対１１１１を成す下側の壁面１１１１２には、分析セル１１１から液体試料１１１０を排出するための配管２２に繋がれた排出ポート１１４２が設けられている。
【００２９】
壁面対１１１２を成す２枚の対向する壁面は、光学的に透明な材料（例えば、石英ガラス、アクリル等）から成り、光源部１２から照射される光を透過する。
【００３０】
壁面対１１１３は、ホルダ１１２の超音波振動子１１２２（図５）と接する側の壁面１１１３１と、液体試料１１１０を伝搬してきた超音波を反射する壁面１１１３２から成る。壁面１１１３１と壁面１１１３２とには音響インピーダンスが異なる材料が採用され、壁面１１１３１には、壁面１１１３２の材料よりも音響インピーダンスが小さい材料が採用される。例えば、壁面１１１３１には石英ガラスやアクリルが採用され、壁面１１１３２にはステンレス等の金属が採用される。壁面１１１３１の厚さは、超音波の波長λの１／２の整数倍であることが望ましい。これにより、壁面１１１３１を超音波が伝搬し易くすることができる。
【００３１】
壁面対１１１３を成す一方の壁面１１１３１の外側（ホルダ１１２の超音波振動子１１２２（図５）に密着する側）には、ゲル状物質１１１５が設けられている。ゲル状物質１１１５は、例えば塗布によって壁面１１１３１の外側に設けることができる。ゲル状物質１１１５には、水と同等であって、空気と比較した場合、壁面１１１３１の音響インピーダンスに近い音響インピーダンスを有し、変形し易い材質を採用する。なお、ゲル状物質１１１５の厚さは、超音波の波長λに比較して十分に薄いことが望ましい。
【００３２】
壁面１１１３１と超音波振動子１１２２との間にゲル状物質１１１５を設けることにより、壁面１１１３１と超音波振動子１１２２との間に生じ得る微小な隙間（空気の層）をゲル状物質１１１５によって埋めることができ、壁面１１１３１と超音波振動子１１２２とを実質的に密着させることができる。また、ゲル状物質１１１５と壁面１１１３１との境界における音響インピーダンスの差を小さくすることができる。よって、超音波振動子１１２２が発振した超音波を、壁面１１１３１を介して液体試料１１１０に伝搬させ易くすることができる。
【００３３】
なお、壁面１１１３１の外側に設けたゲル状物質１１１５を省略してもよい。その場合、上述したように、壁面１１１３１と超音波振動子１１２２との間に微小な隙間（空気の層）が生じ得て、空気の層と壁面１１１３１との境界における音響インピーダンスの差が、ゲル状物質１１１５と壁面１１１３１との境界に比較して大きくなるため、超音波振動子１１２２が発振した超音波が伝搬し難くなる。これを防ぐためには、超音波振動子１１２２により大きな駆動電力を供給して超音波振動子１１２２をより大きく発振させる必要がある。
【００３４】
換言すれば、壁面１１１３１と超音波振動子１１２２との間にゲル状物質１１１５を設けたことにより、超音波振動子１１２２を大きく発振させる必要が無くなるので、超音波振動子１１２２の省電力化を実現できる。
【００３５】
次に、図５は、ホルダ１１２の構成例を示すＸＺ平面の断面図を示している。図６は、ホルダ１１２の構成例を示すＸＺ平面の側面図を示している。
【００３６】
ホルダ１１２は、その筒状の筐体１１２１を構成するＹＺ平面に平行な２枚の壁面の内側の一方に超音波振動子１１２２が設けられ、他方に密着用端子１１２３が設けられている。
【００３７】
筐体１１２１は、光を透過しない材料から成る。筐体１１２１は、ＸＹ平面に平行な面が開口されており、分析セル１１１が挿入可能とされている。ホルダ１１２の筐体１１２１を成すＸＺ平面に平行な壁面対それぞれには、照射穴１１２５が形成されている。なお、照射穴１１２５の位置については、図８を参照して後述する。ホルダ１１２の筐体１１２１を、光を透過しない材料から形成することにより、ホルダ１１２に挿入した分析セル１１１に対して照射穴１１２５以外から光が入射することを抑止でできる。なお、照射穴１１２５を形成する代わりに、照射穴１１２５の位置にだけ光を透過する材料を採用するようにしてもよい。さらには、分析セル１１１が挿入された状態の分析ユニットの全体を遮光された箱に収めるようにしてもよい。その場合、筐体１１２１の全体を光を透過する材料で形成してもよい。
【００３８】
超音波振動子１１２２は、ゲル状物質１１１５を介して分析セル１１１の壁面１１１３１と密着される。超音波振動子１１２２は、制御部１４に内蔵された駆動部１４１からの駆動信号Ｅに基づいて超音波を発振する。発振された超音波は、ゲル状物質１１１５及び壁面１１１３１を介して液体試料に伝搬される。密着用端子１１２３は、分析セル１１１の壁面１１１３２と密着され、分析セル１１１を超音波振動子１１２２に押し付ける機能を有する。密着用端子１１２３は、例えば、ゴムやバネ等の弾性体、またはネジ等によって実現できる。
【００３９】
＜液体試料を光分析する際の問題点＞
次に、液体試料を分析する際の問題点について、図７を参照して説明する。図７（Ａ）は、液体試料が懸濁していない場合を示し、図７（Ｂ）は、液体試料が懸濁している場合を示している。
【００４０】
同図（Ａ）に示されるように、分析セル１１１に透明な液体試料が収容されている場合、光源部１２から照射された光は、液体試料を透過する際、液体試料に含まれる成分によってその一部が吸収された後、受光部１３に受光される。
【００４１】
液体試料に含まれる成分によって吸収される光は、該成分によってその量と波長が異なるため、受光部１３によって受光された光を分析することにより、液体試料に含まれる成分を特定することができる。また、吸収される光の量は、液体試料に含まれる成分の量に依存するため、分析セル１１１の中を進む光の距離（光路長）を固定することで、成分を定量分析することができる。従って、液体試料が透明である場合、光が直進することにより光路長が一定となり、正確に成分を定量分析することができる。
【００４２】
一方、同図（Ｂ）に示されるように、分析セル１１１に懸濁している液体試料が収容されている場合、光源部１２から照射された光は、液体試料中の懸濁物質によって反射されて受光部１３に到達しない、あるいは、懸濁物質によって多重散乱してしまう。すなわち、分析セル１１１の中を進む光の光路長が一定にならない。このため、液体試料に含まれる成分を定量分析することができない、あるいは、正確に定量分析することができない。
【００４３】
そこで、本発明を適用した光学分析装置１０では、液体試料中に超音波の定在波を発生させることにより、懸濁物質を凝集させ、液体試料中の懸濁物質が少ない領域に対して光源部１２から光を透過させるようになされている。これにより、懸濁物質による光の反射や多重散乱を抑止でき、分析セル１１１の中を進む光の光路長を略一定にできるので、液体試料に含まれる成分を定量分析することができる。
【００４４】
＜液体試料に含まれる懸濁物質を凝集させる原理＞
次に、図８は、液体試料に含まれる懸濁物質を凝集させる原理を説明するための図である。同図（Ａ）は、超音波振動子１１２２から超音波が発振されていない状態を示し、同図（Ｂ）は、超音波振動子１１２２から超音波が発振されている状態を示している。同図（Ｃ）は、超音波の発振によって液体試料中の懸濁物質が凝集している状態を示している。
【００４５】
はじめに、分析セル１１１の壁面対１１１３を成す一方の壁面１１１３１の外側にゲル状物質１１１５を設けたことの効果と、壁面対１１１３を成す壁面１１１３１の音響インピーダンスが壁面１１１３２の音響インピーダンスよりも小さいことの効果について説明する。
【００４６】
一般的に、音響インピーダンスの値が異なる物質を接触させた境界を音波が透過する場合、その境界で音波が反射されてしまい、音波は境界を透過し難くなる傾向がある。この傾向は、接触する物質それぞれの音響インピーダンスの差が大きいほど顕著となる。
【００４７】
仮に、分析セル１１１の壁面１１１３１にゲル状物質１１１５が設けられていない場合、超音波振動子１１２２と壁面１１１３１とが極薄い空気の層を介して接触することになる。空気の音響インピーダンスは約４００Ｎｓ/ｍ３であるのに対し、固体である壁面１１１３１は、５桁以上の大きい音響インピーダンスを有する。そのため、超音波振動子１１２２と壁面１１１３１との間に空気の層が介在する場合、音響インピーダンスが大きく異なる境界が存在するため、超音波振動子１１２２から発振された超音波が、空気の層と壁面１１３１の境界で殆ど反射されてしまい、分析セル１１１の中にまで伝搬しないことになる。
【００４８】
しかしながら、本実施の形態では、壁面１１１３１にはゲル状物質１１１５が設けられている。そして、ゲル状物質１１１５には、水と同程度の音響インピーダンス（１．５０×１０６   Ｎｓ／ｍ３）を有するものを採用するので、その値は、空気の音響インピーダンスよりも、固体である壁面１１１３１の音響インピーダンスに近くなる。
【００４９】
したがって、同図（Ａ）に示されるように、超音波振動子１１２２と壁面１１１３１との間にゲル状物質１１１５を設けた場合、超音波振動子１１２２からの超音波は、ゲル状物質１１１５と壁面１１３１との境界で反射し難くなり、該境界を透過して壁面１１１３１に伝搬される。よって、効率的に分析セル１１１の中の液体試料１１１０にまで超音波を伝搬させることができる。また、変形し易いゲル状物質１１１５を介して接触させるので、超音波振動子１１２２と壁面１１１３１とを密着させ易くすることができる。
【００５０】
分析セル１１１に収容された液体試料１１１０に伝搬した超音波は、Ｘ軸＋方向に進み、壁面１１１３２で反射されてＸ軸−方向に進む反射波となる。そして、Ｘ軸＋方向に進む進行波とＸ軸−方向に進む反射波とが干渉して、液体試料１１１０の中に定在波を発生させ、この定在波内の音圧差によって透明領域が形成される。
【００５１】
そのため、壁面１１１３１は超音波を透過し易く、壁面１１１３２は超音波を反射し易い材質によって構成することで、上述した音圧差を大きくして、懸濁物質をより凝集し易くし、透明領域の懸濁物質数をより少なくすることができる。
【００５２】
つまり、壁面１１１３１は、ゲル状物質１１１５と同程度の音響インピーダンスを有する材料から形成し、壁面１１１３２は、液体試料１１１０との音響インピーダンスの差が大きい材料から形成することで、透明領域に含まれる懸濁物質数をより少なくすることができる。
【００５３】
なお、液体試料１１１０は、一般的には多くの水を含んでいるため、その音響インピーダンスは水と同程度である。壁面１１１３２の音響インピーダンスが、液体試料１１１０と同程度である場合、壁面１１１３２に到達した超音波は、壁面１１１３２で反射されずに透過し易くなってしまう。このため、壁面１１１３２の音響インピーダンスは、液体試料１１１０の音響インピーダンスよりも大きい必要がある。そして、壁面１１１３２の音響インピーダンスを大きくすればするほど、液体試料１１１０の音響インピーダンスとの差が大きくなり、壁面１１１３２にて超音波を反射し易くすることができる。
【００５４】
同図（Ｂ）は、液体試料１１１０の中に発生した超音波の定在波の一例を示している。
【００５５】
該定在波Ｗにより、液体試料１１１０の中には、発振された超音波の固有の周波数に応じた音場が形成される。具体的には、音圧が高い領域である節２０１と、音圧が低い領域である腹２０２とが周期的に現れる音場が形成される。節２０１及び腹２０２は、Ｘ方向に間隔を空けて、ＹＺ平面に平行な面状に形成される。
【００５６】
定在波Ｗが形成されたことにより、その節２０１と腹２０２の間隔に比べて十分小さい懸濁物質は、その物性値（質量等）に応じて節２０１又は腹２０２に向かう力（音響放射力）を受けて、節２０１又は腹２０２の位置に凝集する。
【００５７】
同図（Ｃ）は、懸濁物質が節２０１とその周囲に凝集した例を示している。懸濁物質が凝集した結果、分析セル１１１内には、懸濁物質が多い凝集領域２１１と、懸濁物質が少ない透明領域２１２とが周期的に出現する。なお、透明領域２１２には、懸濁物質が含まれていなくてもよい。
【００５８】
ホルダ１１２の筐体１１２１に設けられる一対の照射穴１１２５は、超音波の発振によって透明領域２１２が現れる位置に対応付けて形成されている。これにより、光源部１２から照射した光は、筐体１１２１に設けられた一方の照射穴１１２５から分析セル１１１に入射し、液体試料１１１０の透明領域２１２を透過するので、懸濁物質による反射や散乱が抑制され、他方の照射穴１１２５を通って受光部１３に到達することができる。これにより、懸濁している液体試料１１１０であっても、そこに含まれる成分を正確に定量的に分析することが可能となる。なお、照射穴１１２５の領域の一部分には、凝集領域２１１が含まれていてもよい。
【００５９】
＜光学分析装置１０による分光分析処理＞
次に、図９は、光学分析装置１０による分光分析処理の一例を説明するフローチャートである。
【００６０】
該分光分析処理は、ユーザからの所定の操作に応じて開始される。
【００６１】
はじめに、ユーザによる所定の操作によって、液体試料１１１０を分析セル１１１に収容する（ステップＳ１）。次に、ユーザが、分析セル１１１をホルダ１１２に挿入し、分析セル１１１の壁面対１１１３のうちの一方の壁面１１１３１を、ゲル状物質１１１５を介して超音波振動子１１２２に密着させ、他方の壁面１１１３２を密着用端子１１２３に密着させる（ステップＳ２）。
【００６２】
次に、超音波振動子１１２２が、制御部１４に内蔵された駆動部１４１からの駆動信号Ｅに基づいて超音波を発振する。これにより、分析セル１１１の中の液体試料１１１０に超音波が伝搬して定在波Ｗが生じ、その節２０１（又は腹２０２）に懸濁物質が凝集する（ステップＳ３）。
【００６３】
次に、光源部１２が、制御部１４からの制御に従い、ホルダ１１２に形成された照射穴１１２５を介し、分析セル１１１に所定波長の光を照射し、受光部１３が、液体試料１１１０の透明領域２１２を透過した光を受光し、その強度を示す受光信号を制御部１４に出力する（ステップＳ４）。
【００６４】
次に、制御部１４が、受光部１３からの受光信号に基づいて液体試料１１１０に含まれる成分を分光分析する（ステップＳ５）。以上で、光学分析装置１０による分光分析処理は終了される。
【００６５】
以上に説明した分光分析処理によれば、超音波の伝搬によって液体試料１１１０の中に超音波の定在波を生じさせて懸濁物質を凝集させることにより透明領域２１２を生じさせることができる。そして、制御部１４は、透明領域２１２を透過した光に対応する受光信号に基づいて分光分析を行うので、液体試料１１１０に含まれる成分を定量的に分析することが可能となる。
【００６６】
＜超音波の伝搬シミュレーションについて＞
次に、本発明者が行った超音波の伝搬シミュレーションについて説明する。
【００６７】
図１０は、伝搬シミュレーションに用いた解析モデルを示している。該解析モデルは、超音波振動子１１２２と、ゲル状物質１１１５と、壁面１１１３１と、液体試料１１１０とを模したものである。
【００６８】
一般に、超音波振動子は、振動部が金属基板に接着されて構成されている。そこで、該解析モデルでは、超音波振動子１１２２は、振動部１１２２１と、厚さ２．８５ｍｍであってステンレス（ＳＵＳ）製の金属基板１１２２２とが接着された構成を仮定した。
【００６９】
該解析モデルにおけるゲル状物質１１１５は、厚さを０．１ｍｍと仮定し、その音響インピーダンスに水の音響インピーダンスと同じ値を採用した。なお、以下の説明では、ゲル状物質１１１５が設けられず、厚さ０．１ｍｍの空気の層が存在する場合の伝搬シミュレーションについても言及している。
【００７０】
該解析モデルにおける壁面１１１３１は、厚さを２ｍｍとし、材質を石英ガラスまたはアクリルと仮定した。
【００７１】
図１１は、該解析モデルの構成要素に対して仮定した材質（空気、水、石英、ステンレス、アクリル）の密度、音速、波長、及び音響インピーダンスを示している。
【００７２】
伝搬シミュレーションでは、超音波振動子１１２２の共振周波数を２ＭＨzとし、超音波振動子１１２２の振動部１１２２１が発した超音波が、金属基板１１２２２、ゲル状物質１１１５、及び壁面１１１３１を介して液体試料１１１０に到達する際のそれぞれの物質内の圧力分布を解析した。なお、液体試料１１１０のその音響インピーダンスには、水の音響インピーダンスと同じ値を採用した。
【００７３】
図１２は、上段が解析モデルを示し、下段が伝搬シミュレーションの結果を示している。
【００７４】
同図（Ａ）は、解析モデルの壁面１１１３１が石英ガラスから成り、ゲル状物質１１１５が省略され、その代わり空気の層が存在する場合を示している。同図（Ｂ）は、解析モデルの壁面１１１３１が石英ガラスから成り、ゲル状物質１１１５の音響インピーダンスが水と同じ場合を示している。同図（Ｃ）は、解析モデルの壁面１１１３１がアクリルから成り、ゲル状物質１１１５の音響インピーダンスが水と同じ場合を示している。
【００７５】
伝搬シミュレーションでは、各解析モデルにおいて、壁面１１１３１の内側の受信面（すなわち、液体試料１１１０）のＸＹ断面の平均圧力を比較し、振動部１１２２１からの超音波が受信面まで到達するか否かを判定した。
【００７６】
同図（Ａ）の場合、受信面のＸＹ断面の平均圧力は、ＳＵＳから成る金属基板１１２２２のＸＹ断面の平均圧力の約１／１００となった。これは空気の層と石英ガラスとの境界で超音波が反射してしまい、振動部１１２２１からの超音波が壁面１１１３１や液体試料１１１０までほとんど到達していないことを示唆している。
【００７７】
一方、同図（Ｂ）の場合、受信面のＸＹ断面の平均圧力は、ＳＵＳから成る金属基板１１２２２のＸＹ断面の平均圧力の約１／４となり、同図（Ａ）の場合よりも大きくなった。これは、振動部１１２２１からの超音波が、ゲル状物質１１１５と石英ガラスとの境界で同図（Ａ）の場合ほど反射されずに伝搬され、壁面１１１３１や液体試料１１１０まで到達しているためである。
【００７８】
また、同図（Ｃ）の場合、受信面のＸＹ断面の平均圧力は、ＳＵＳから成る金属基板１１２２２のＸＹ断面の平均圧力の約２／３となり、同図（Ｂ）の場合よりも大きくなった。アクリルの音響インピーダンス（３．２２×１０６  Ｎｓ／ｍ３）の方が、石英ガラスの音響インピーダンス（１．５３×１０７  Ｎｓ／ｍ３）よりも水の音響インピーダンス（１．５０×１０６  Ｎｓ／ｍ３）に近いため、アクリルの方が石英ガラスよりも水に超音波を伝搬し易くなった（換言すれば、該アクリルと水との境界で超音波を反射し難くなった）ためである。
【００７９】
これらの解析結果は、ゲル状物質１１１５を介して超音波発振子１１２２と壁面１１１３１とを密着させることで、分析セル１１１内に効率的に超音波を伝搬させることができるようになることを示唆している。
【００８０】
また、同図（Ａ）に示された伝搬シミュレーションの結果は、音響インピーダンスの違いによって超音波が効率的に反射されることを示唆しており、この結果より、液体試料１１１０の音響インピーダンスと、壁面１１１３２の音響インピーダンスが大きく異なることで、分析セル１１１内を伝搬した超音波が壁面１１１３２にて効率的に反射されることが推測できる。
【００８１】
＜光学分析装置１０を適用した光学分析システムの第１の構成例＞
次に、図１３は、光学分析装置１０を適用した光学分析システムの第１の構成例を示している。
【００８２】
該光学分析システム６０は、光学分析装置１０と撹拌槽６１と備える。ただし、同図においては、光学分析装置１０の構成要素のうち、分析ユニット１１、光源部１２、及び受光部１３のみを図示しており、制御部１４等の図示を省略している。
【００８３】
撹拌槽６１は、回転軸を回転させるモータ６２と、当該回転軸周りに設けられた複数の撹拌翼６３とを備える。また、撹拌槽６１には、配管２１の一端に接続される流出口６４と、配管２２の一端に接続される流入口６５とが設けられている。
【００８４】
一端が流出口６４に接続された配管２１は、その他端が分析セル１１１の供給ポート１１４１に接続されている。配管２２は、その他端が分析セル１１１の排出ポート１１４２に接続されている。
【００８５】
したがって、光学分析システム６０は、撹拌槽６１と分析セル１１１を配管２１，２２で接続して、液体試料１１１０を循環させることができる。
【００８６】
光学分析システム６０は、液体試料を攪拌したり、液体試料に他の物質を混合したりする、例えば化学薬品等の製造プロセスに用いることができる。
【００８７】
＜光学分析装置１０を適用した光学分析システムの第２の構成例＞
次に、図１４は、光学分析装置１０を適用した光学分析システムの第２の構成例を示している。
【００８８】
該光学分析システム８０は、光学分析装置１０と撹拌槽６１と備える。ただし、同図においては、光学分析装置１０の構成要素のうち、分析ユニット１１、光源部１２、受光部１３、配管２１，２２を図示しており、その他の構成要素（制御部１４等）の図示を省略している。
【００８９】
また、光学分析システム８０の構成要素のうち、図１３に示された光学分析システム６０と共通する構成要素については同一の符号を付して、その説明を適宜省略する。
【００９０】
撹拌槽６１は、回転軸を回転させるモータ６２と、当該回転軸周りに設けられた複数の撹拌翼６３とを備える。また、撹拌槽６１には、配管２１の一端に接続される流出口６４が設けられている。
【００９１】
一端が流出口６４に接続された配管２１は、その他端が分析セル１１１の供給ポート１１４１に接続されている。分析セル１１１の排出ポート１１４２の後段には配管８１を介して回収システム８２が設けられている。
【００９２】
したがって、光学分析システム８０は、液体試料１１１０を撹拌槽６１に循環させず、光分析後の液体試料１１１０を回収システム８２にて回収するようになされている。
【００９３】
光学分析システム８０は、例えば、分析セル１１１にて超音波や光の照射により液体試料１１１０が変質するあるいは変質するおそれがある場合に、撹拌槽６１内の液体試料１１１０が変質することを防止できる。
【００９４】
＜光学分析装置１０の変形例＞
次に、上述した光学分析装置１０の変形例について説明する。図１５は、光学分析装置１０の変形例を示している。図１６は、該変形例における分析ユニット１１の構成例を示す上面図である。図１７は、該変形例における分析セル１１１の構成例を示すＸＺ平面の断面図である。なお、図１５〜図１７において、図１の光学分析装置１０と共通する構成要素には同一の符号を付しているので、その説明は適宜省略する。
【００９５】
該変形例は、図１５及び図１６に示されるように、図１に示された光学分析装置１０から配管２１，２２を省略した構成を有する。
【００９６】
また、該変形例における分析セル１１１は、図１７に示されるように、分析セル１１１としての直方体を成す３組の対向する壁面対のうち、すなわち、ＸＹ平面に平行な壁面対１１１１を成す上側の壁面１１１１１は、液体試料を直接供給できるように開口されている。また、壁面対１１１１の下側の壁面１１１１２からは、液体試料を排出するための排出ポートが省略されている。
【００９７】
したがって、該変形例は、分析に必要な量だけ液体試料をサンプリングすれば済む。
【００９８】
本明細書に記載された効果はあくまで例示であって限定されるものではなく、他の効果があってもよい。
【００９９】
本発明は、上記した実施形態に限定されるものではなく、様々な変形例が含まれる。例えば、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【０１００】
本発明は、分析セル、及び分析ユニットだけでなく、光学分析装置や光学分析システム等の様々な態様で提供することができる。
【符号の説明】
【０１０１】
１０・・・光学分析装置、１１・・・分析ユニット、１２・・・光源部、１３・・・受光部、１４・・・制御部、２１・・・配管、２２・・・配管、６０・・・光学分析システム、６１・・・撹拌槽、６２・・・モータ、６３・・・撹拌翼、６４・・・流出口、６５・・・流入口、８０・・・光学分析システム、８１・・・配管、８２・・・回収システム、１１１・・・分析セル、１１２・・・ホルダ、１４１・・・駆動部、２０１・・・節、２０２・・・腹、２１１・・・凝集領域、２１２・・・透明領域、１１１０・・・液体試料、１１１１・・・壁面対、１１１２・・・壁面対、１１１３・・・壁面対、１１１５・・・ゲル状物質、１１２１・・・筐体、１１２２・・・超音波振動子、１１２３・・・密着用端子、１１２５・・・開口部、１１３１・・・壁面、１１４１・・・供給ポート、１１４２・・・排出ポート、１１１１１・・・壁面、１１１１２・・・壁面、１１１３１・・・壁面、１１１３２・・・壁面、１１２２１・・・振動部、１１２２２・・・金属基板
【図１】
2019211235.tif 000003
【図２】
2019211235.tif 000004
【図３】
2019211235.tif 000005
【図４】
2019211235.tif 000006
【図５】
2019211235.tif 000007
【図６】
2019211235.tif 000008
【図７】
2019211235.tif 000009
【図８】
2019211235.tif 000010
【図９】
2019211235.tif 000011
【図１０】
2019211235.tif 000012
【図１１】
2019211235.tif 000013
【図１２】
2019211235.tif 000014
【図１３】
2019211235.tif 000015
【図１４】
2019211235.tif 000016
【図１５】
2019211235.tif 000017
【図１６】
2019211235.tif 000018
【図１７】
2019211235.tif 000019